(57)【要約】      （修正有）【課題】外箱から中箱を引き出して開閉させるアコーデオン式の包装箱において、外箱と中箱が外れることなくより強く結合できる包装箱を提供する。【解決手段】中箱４の奥に屈伸可動な２枚のヒンジ板を設け、このヒンジ板を介して外箱２、３と中箱を直結する。さらに中箱の左右にこの外箱を配置して両側から開閉してもよい。箱全体１は一枚の段ボール板材で形成し、ヒンジ板の屈伸折線と直交に目方向を設定する。板材の右縦列に右外箱２、左縦列に左外箱３、中列に中箱を構成して取りを良くし、また片面側から順次折曲げ貼合するので生産性がよく、グルアー機にも対応可能。箱を閉じた状態では２枚のヒンジ板の長さの差により中箱の外面側を外箱の内面側に圧着する事で閉じ状態を維持でき、箱を開けた状態では中箱のフラップ４ｇ、４ｈを展開して箱の開き状態を維持できる。【選択図】図１
2017095140.tif 000002
【特許請求の範囲】
【請求項１】
直方体で、左面（２ｆ）が開放された右外箱（２）と、
該右外箱（２）より一回り小さい直方体で、上面（４ｄ）が開放され、該右外箱の該左面（２ｆ）から出し入れする中箱（４）と、
を有する収納箱（１）において、
該右外箱の後面（２ｃ）の右側内部に、該中箱（４）が移動する方向と直交する第一折線（５ａ）を介して接続する第一ヒンジ板（５）と、
該中箱の後面（４ｃ）の右側外部に、該第一折線（５ａ）と並行な第二折線（６ａ）を介して接続する第二ヒンジ板（６）と、
を有し、
該右外箱の前面（２ｅ）の右側内部に、該中箱（４）が移動する方向と直交する第三折線（７ａ）を介して接続する第三ヒンジ板（７）と、
該中箱の前面（４ｅ）の右側外部に、該第三折線（７ａ）と並行な第四折線（８ａ）を介して接続する第四ヒンジ板（８）と、
を有し、
該第一ヒンジ板（５）と該第二ヒンジ板（６）は、該第一折線（５ａ）と並行なヒンジ折線（９）を介して接続し、
該第三ヒンジ板（７）と該第四ヒンジ板（８）は、該第三折線（７ａ）と並行なヒンジ折線（１０）を介して接続し、
該第一ヒンジ板（５）と該第二ヒンジ板（６）を接続する該ヒンジ折線（９）にて屈伸動作し、かつ該第三ヒンジ板（７）と該第四ヒンジ板（８）を接続する該ヒンジ折線（１０）にて屈伸動作することにより、該中箱（４）を該右外箱（２）から出し入れすること、
を特徴とするアコーデオンボックス。
【請求項２】
該右外箱の該左面（２ｆ）と同じ大きさの右面（３ａ）を持つ直方体で、該左外箱の該右面（３ａ）が開放された左外箱（３）と、
該左外箱の該右面（３ａ）から出し入れする該中箱（４）と、
を有する該収納箱（１）において、
該左外箱の後面（３ｃ）の左側内部に、該中箱（４）が移動する方向と直交する第五折線（１１ａ）を介して接続する第五ヒンジ板（１１）と、
該中箱の該後面（４ｃ）の左側外部に、該第五折線（１１ａ）と並行な第六折線（１２ａ）を介して接続する第六ヒンジ板（１２）と、
を有し、
該左外箱の前面（３ｅ）の左側内部に、該中箱（４）が移動する方向と直交する第七折線（１３ａ）を介して接続する第七ヒンジ板（１３）と、
該中箱の該前面（４ｅ）の左側外部に、該第七折線（１３ａ）と並行な第八折線（１４ａ）を介して接続する第八ヒンジ板（１４）と、
を有し、
該第五ヒンジ板（１１）と該第六ヒンジ板（１２）は、該第五折線（１１ａ）と並行なヒンジ折線（１５）を介して接続し、
該第七ヒンジ板（１３）と該第八ヒンジ板（１４）は、該第七折線（１３ａ）と並行なヒンジ折線（１６）を介して接続し、
該第五ヒンジ板（１１）と該第六ヒンジ板（１２）を接続する該ヒンジ折線（１５）にて屈伸動作し、かつ該第七ヒンジ板（１３）と該第八ヒンジ板（１４）を接続する該ヒンジ折線（１６）にて屈伸動作することにより、該中箱（４）を該左外箱（３）から出し入れすること、
を特徴とする請求項１に記載のアコーデオンボックス。
【請求項３】
該収納箱（１）の展開形状は一枚の板材にて構成され、
展開形状は長方形を成し、
展開形状の右辺側に該右外箱の該前面（２ｅ）と該右外箱の上面（２ｄ）と該右外箱の該後面（２ｃ）と該右外箱の下面（２ｂ）を縦一列に順次連結し、
展開形状の左辺側に該左外箱の該前面（３ｅ）と該左外箱の上面（３ｄ）と該左外箱の該後面（３ｃ）と該左外箱の下面（３ｂ）を縦一列に順次連結し、
展開形状の上辺側に該右外箱の該前面（２ｅ）と該第三ヒンジ板（７）と該第四ヒンジ板（８）と該中箱の該前面（４ｅ）と該第八ヒンジ板（１４）と該第七ヒンジ板（１３）と該左外箱の該前面（３ｅ）を横一列に順次連結し、
該右外箱の該後面（２ｃ）と該第一ヒンジ板（５）と該第二ヒンジ板（６）と該中箱の該後面（４ｃ）と該第八ヒンジ板（１４）と該第七ヒンジ板（１３）と該左外箱の該後面（３ｃ）を横一列に順次連結すると共に該中箱の該後面（４ｃ）に該中箱の下面（４ｂ）を連結し、
展開形状の下辺側に該右外箱の該下面（２ｂ）と該中箱の該下面（４ｂ）と該左外箱の該下面（３ｂ）を横一列に並べたこと、
を特徴とする請求項２に記載のアコーデオンボックス。
【請求項４】
該収納箱（１）の展開形状は一枚の段ボール材にて構成され、
晩ボールの目方向は、ヒンジ折線（９、１０、１５、１６）と直交する方向であること、
を特徴とする請求項２又は請求項３に記載のアコーデオンボックス。
【請求項５】
該右外箱の該前面（２ｅ）に該右外箱の貼合面（２ｎ）を連結し、
該左外箱の該前面（３ｅ）に該左外箱の貼合面（３ｎ）を連結し、
該中箱の該下面（４ｂ）に該中箱の該貼合面（４ｐ）を連結して構成され、
該第一折線（５ａ）と該第三折線（７ａ）を山折りし、
該第五折線（１１ａ）と該第七折線（１３ａ）を山折りし、
該中箱の該後面（４ｃ）に対し該中箱の該下面（４ｂ）を谷折りし、
該右外箱の該上面（２ｄ）と該左外箱の該上面（３ｄ）に対し該右外箱の該前面（２ｅ）と該左外箱の該前面（３ｅ）を谷折りにしたとき、
該中箱の該貼合面（４ｐ）と該中箱の該前面（４ｅ）が重なること、
を特徴とする請求項２乃至請求項４の何れか一項に記載のアコーデオンボックス。
【請求項６】
該右外箱の該後面（２ｃ）に対し該右外箱の該下面（２ｂ）を谷折りしたとき、
該右外箱の該貼合面（２ｎ）と該右外箱の該下面（２ｂ）が重なること、
を特徴とする請求項５に記載のアコーデオンボックス。
【請求項７】
該左外箱の該後面（３ｃ）に対し該左外箱の該下面（３ｂ）を谷折りしたとき、
該左外箱の該貼合面（３ｎ）と該左外箱の該下面（３ｂ）が重なること、
を特徴とする請求項５又は請求項６に記載のアコーデオンボックス。
【請求項８】
該第一ヒンジ板（５）と該第二ヒンジ板（６）を接続する該ヒンジ折線（９）の中間位置に、ヒンジ穴（９ａ）を設けたこと、
を特徴とする請求項２乃至請求項７の何れか一項に記載のアコーデオンボックス。
【請求項９】
該第三ヒンジ板（７）と該第四ヒンジ板（８）を接続する該ヒンジ折線（１０）の中間位置に、ヒンジ穴（１０ａ）を設けたこと、
を特徴とする請求項２乃至請求項８の何れか一項に記載のアコーデオンボックス。
【請求項１０】
該第一ヒンジ板（１１）と該第二ヒンジ板（１２）を接続する該ヒンジ折線（１５）の中間位置に、ヒンジ穴（１５ａ）を設けたこと、
を特徴とする請求項２乃至請求項９の何れか一項に記載のアコーデオンボックス。
【請求項１１】
該第一ヒンジ板（１３）と該第二ヒンジ板（１４）を接続する該ヒンジ折線（１６）の中間位置に、ヒンジ穴（１６ａ）を設けたこと、
を特徴とする請求項２乃至請求項１０の何れか一項に記載のアコーデオンボックス。
【請求項１２】
該ヒンジ穴（９ａ、１０ａ、１５ａ、１６ａ）は直径が２０ｍｍ〜２５ｍｍの範囲であること、
を特徴とする請求項８乃至請求項１１の何れか一項に記載のアコーデオンボックス。
【請求項１３】
該中箱の該後面（４ｃ）の上面側に、後フラップ（４ｇ）を有し、
該後フラップ（４ｇ）は、該右外箱（２）を右へ移動し該左外箱（３）を左へ移動した状態において、該右外箱の該上面（２ｄ）および該左外箱の該上面（３ｄ）より上方へ突出する様に開くこと、
を特徴とする請求項２乃至請求項１２の何れか一項に記載のアコーデオンボックス。
【請求項１４】
該中箱の該前面（４ｅ）の上面側に、前フラップ（４ｈ）を有し、
該前フラップ（４ｈ）は、該右外箱（２）を右へ移動し該左外箱（３）を左へ移動した状態において、該右外箱の該上面（２ｄ）および該左外箱の該上面（３ｄ）より上方へ突出する様に開くこと、
を特徴とする請求項２乃至請求項１３の何れか一項に記載のアコーデオンボックス。
【請求項１５】
該右外箱の該下面（２ｂ）と該左外箱の該下面（３ｂ）は前後幅が等しいこと、
を特徴とする請求項２乃至請求項１４の何れか一項に記載のアコーデオンボックス。
【請求項１６】
該右外箱の該下面（２ｂ）と該左外箱の該下面（３ｂ）の前後幅は、該中箱の該下面（４ｂ）の前後幅に板材の厚さの２枚分と所定値（α）を加えた寸法に等しいこと、
を特徴とする請求項３乃至請求項１５の何れか一項に記載のアコーデオンボックス。
【請求項１７】
該右外箱の該後面（２ｃ）と該左外箱の該後面（３ｃ）の左右幅の合計は、該中箱の該後面（４ｃ）の左右幅に板材の厚さの４枚分と所定値（β）を加えた寸法に等しいこと、
を特徴とする請求項３乃至請求項１６の何れか一項に記載のアコーデオンボックス。
【請求項１８】
該右外箱の該前面（２ｅ）と該左外箱の該前面（３ｅ）の左右幅の合計は、該中箱の該前面（４ｅ）の左右幅に板材の厚さの４枚分と所定値（β）を加えた寸法に等しいこと、
を特徴とする請求項３乃至請求項１７の何れか一項に記載のアコーデオンボックス。
【請求項１９】
該右外箱の該後面（２ｃ）と該左外箱の該後面（３ｃ）は上下幅が等しいこと、
を特徴とする請求項２乃至請求項１８の何れか一項に記載のアコーデオンボックス。
【請求項２０】
該右外箱の該後面（２ｃ）と該左外箱の該後面（３ｃ）の上下幅は、該中箱の該後面（４ｃ）の上下幅に板材の厚さの１枚分と所定値（γ）を加えた寸法に等しいこと、
を特徴とする請求項３乃至請求項１９の何れか一項に記載のアコーデオンボックス。
【請求項２１】
該第一ヒンジ板（５）の横幅は、該第二ヒンジ板（６）の横幅に板材の厚さの１枚分を加えて所定値（δ）を引いた寸法に等しいこと、
を特徴とする請求項３乃至請求項２０の何れか一項に記載のアコーデオンボックス。
【請求項２２】
該第三ヒンジ板（７）の横幅は、該第四ヒンジ板（８）の横幅に板材の厚さの１枚分を加えて所定値（δ）を引いた寸法に等しいこと、
を特徴とする請求項３乃至請求項２１の何れか一項に記載のアコーデオンボックス。
【請求項２３】
該第一ヒンジ板（５）の横幅と該第二ヒンジ板（６）の横幅の合計は、該右外箱（２）の該後面（２ｃ）の左右幅から所定値（ε）を引いた寸法に等しいこと、
を特徴とする請求項２乃至請求項２２の何れか一項に記載のアコーデオンボックス。
【請求項２４】
該第三ヒンジ板（７）の横幅と該第四ヒンジ板（８）の横幅の合計は、該右外箱（２）の該前面（２ｅ）の左右幅から所定値（ε）を引いた寸法に等しいこと、
を特徴とする請求項２乃至請求項２３の何れか一項に記載のアコーデオンボックス。
【請求項２５】
該第五ヒンジ板（１１）の横幅は、該第六ヒンジ板（１２）の横幅に板材の厚さの１枚分を加えて所定値（ζ）を引いた寸法に等しいこと、
を特徴とする請求項３乃至請求項２４の何れか一項に記載のアコーデオンボックス。
【請求項２６】
該第七ヒンジ板（１３）の横幅は、該第八ヒンジ板（１４）の横幅に板材の厚さの１枚分を加えて所定値（ζ）を引いた寸法に等しいこと、
を特徴とする請求項３乃至請求項２５の何れか一項に記載のアコーデオンボックス。
【請求項２７】
該第五ヒンジ板（５）の横幅と該第二ヒンジ板（６）の横幅の合計は、該左外箱（３）の該後面（３ｃ）の左右幅から所定値（η）を引いた寸法に等しいこと、
を特徴とする請求項３乃至請求項２６の何れか一項に記載のアコーデオンボックス。
【請求項２８】
該第七ヒンジ板（１３）の横幅と該第八ヒンジ板（１４）の横幅の合計は、該左外箱（３）の該前面（３ｅ）の左右幅から所定値（η）を引いた寸法に等しいこと、
を特徴とする請求項２乃至請求項２７の何れか一項に記載のアコーデオンボックス。
【発明の詳細な説明】
【技術分野】
【０００１】
本発明は、物品を収納する収納箱に関し、特に外箱と中箱をアコーデオンの様に伸縮させて開閉する箱に関する。
【背景技術】
【０００２】
収納箱の種類の一つとして、中箱と外箱を伸縮式に組み合わせたものがある。これは主に、一面が開放された直方体の外箱へ、他の一面が開放された一回り小さい直方体の中箱を挿入したもので、この中箱を外箱の側面から出し入れすることによって、箱をアコーデオンの様に伸縮し、開閉したり箱の大きさを変える方式である。外箱と中箱は分離可能であることが多く、それを利点に生かす場合もあるが、反面、容易には分離しない事を求めて改善を施した従来例も数多い。
【０００３】
特許文献１は、筒状の周壁を備えた外箱へ中箱を伸縮自在に収納する包装容器で、中箱は、底面板と、伸縮方向両端の端面板および幅方向両端の側面板を備える。箱を伸縮させると、外箱周壁の内面から突出したストッパ片が中箱側面板の係合部に係合することで中箱が外箱から脱落するのを防ぐ構成で、ストッパ片の剛性を高めるための補強罫線を形成したことを特徴とする。
【０００４】
また特許文献２は、外箱に連接した中箱を備えるカートンである。外箱底面の左辺に中箱正面の底辺が連接し、この辺を中心に中箱が軸回転して傾きながら伸縮する方式で、所定量開くと中箱の右面に連接した板の上辺が外箱の上面に当たって係止され、それ以上開くのを防止できる。
【０００５】
さらに特許文献３は、上箱と下箱を蛇腹部材で連結し箱のサイズを伸縮可変にしたものである。上箱の二側面の内側に樹脂シートの一端を貼り、他端を下箱の底面または側面に貼って、シートがたるむ範囲で上箱を上下可動にし、これを袋で包み内部を真空にして包装体積を圧縮する。物流時はこの圧縮状態で輸送コストを減らし、使用時は元のサイズに戻して実用性を高める効果が期待できる。
【先行技術文献】
【特許文献】
【０００６】
【特許文献１】特開２０１０−１２６１８５号公報
【特許文献２】特開２００２−１２８１７６号公報
【特許文献３】特開平７−３１５４５８号公報
【発明の概要】
【発明が解決しようとする課題】
【０００７】
従来においては、特許文献１や特許文献２の様に中箱と外箱を伸縮させると所定位置にて係止部材が係止し、それ以上伸びない様に構成するものが多かった。しかし紙材で形成される箱においては係止部材を充分な強度や精度に構成するのは難しく、係止部が破損したり、うまく噛み合わずに外箱と中箱が分離してしまう虞があった。
【０００８】
また、特許文献３はシート等で外箱と中箱を連結し、これがたるむ範囲で箱を伸縮自在としたものであるが、この場合、箱材とは別に柔軟性のある樹脂シートを必要とする。さらには箱の外部へシートが露出するためこのままでは包装箱として不向きであり、別途袋で全体を包む等の処置が必要であった。
【０００９】
そこで、本発明の目的は、このような伸縮式の収納箱において、より強く外箱と中箱の分離を防止でき、包装箱として活用できる伸縮式のアコーデオン箱を提供することにある。
【課題を解決するための手段】
【００１０】
上記の目的を達成するために、本発明に係るアコーデオンボックスは、
直方体で、左面（２ｆ）が開放された右外箱（２）と、
該右外箱（２）より一回り小さい直方体で、上面（４ｄ）が開放され、該右外箱の該左面（２ｆ）から出し入れする中箱（４）と、
を有する収納箱（１）において、
該右外箱の後面（２ｃ）の右側内部に、該中箱（４）が移動する方向と直交する第一折線（５ａ）を介して接続する第一ヒンジ板（５）と、
該中箱の後面（４ｃ）の右側外部に、該第一折線（５ａ）と並行な第二折線（６ａ）を介して接続する第二ヒンジ板（６）と、
を有し、
該右外箱の前面（２ｅ）の右側内部に、該中箱（４）が移動する方向と直交する第三折線（７ａ）を介して接続する第三ヒンジ板（７）と、
該中箱の前面（４ｅ）の右側外部に、該第三折線（７ａ）と並行な第四折線（８ａ）を介して接続する第四ヒンジ板（８）と、
を有し、
該第一ヒンジ板（５）と該第二ヒンジ板（６）は、該第一折線（５ａ）と並行なヒンジ折線（９）を介して接続し、
該第三ヒンジ板（７）と該第四ヒンジ板（８）は、該第三折線（７ａ）と並行なヒンジ折線（１０）を介して接続し、
該第一ヒンジ板（５）と該第二ヒンジ板（６）を接続する該ヒンジ折線（９）にて屈伸動作し、かつ該第三ヒンジ板（７）と該第四ヒンジ板（８）を接続する該ヒンジ折線（１０）にて屈伸動作することにより、該中箱（４）を該右外箱（２）から出し入れすること、
を特徴とする。
【００１１】
さらには、
該右外箱の該左面（２ｆ）と同じ大きさの右面（３ａ）を持つ直方体で、該左外箱の該右面（３ａ）が開放された左外箱（３）と、
該左外箱の該右面（３ａ）から出し入れする該中箱（４）と、
を有する該収納箱（１）において、
該左外箱の後面（３ｃ）の左側内部に、該中箱（４）が移動する方向と直交する第五折線（１１ａ）を介して接続する第五ヒンジ板（１１）と、
該中箱の該後面（４ｃ）の左側外部に、該第五折線（１１ａ）と並行な第六折線（１２ａ）を介して接続する第六ヒンジ板（１２）と、
を有し、
該左外箱の前面（３ｅ）の左側内部に、該中箱（４）が移動する方向と直交する第七折線（１３ａ）を介して接続する第七ヒンジ板（１３）と、
該中箱の該前面（４ｅ）の左側外部に、該第七折線（１３ａ）と並行な第八折線（１４ａ）を介して接続する第八ヒンジ板（１４）と、
を有し、
該第五ヒンジ板（１１）と該第六ヒンジ板（１２）は、該第五折線（１１ａ）と並行なヒンジ折線（１５）を介して接続し、
該第七ヒンジ板（１３）と該第八ヒンジ板（１４）は、該第七折線（１３ａ）と並行なヒンジ折線（１６）を介して接続し、
該第五ヒンジ板（１１）と該第六ヒンジ板（１２）を接続する該ヒンジ折線（１５）にて屈伸動作し、かつ該第七ヒンジ板（１３）と該第八ヒンジ板（１４）を接続する該ヒンジ折線（１６）にて屈伸動作することにより、該中箱（４）を該左外箱（３）から出し入れすること、
を特徴とする。
【発明の効果】
【００１２】
本発明に係るアコーデオンボックスによれば、外箱と中箱はストッパー機構に頼らず直結しているので、強い力で引張ってストッパーが壊れたり、ストッパーが空振りして中箱が外れることがない。また、その機構は箱の内側にあり外観には出ないので見栄えがよく、機構が外部から損傷を受けることもないので包装箱として好適である。さらには、外箱を左右二つにして、より大きい中箱を形成してより多くの物品を収納したり、外箱の意匠を凝らしたりすることができる。
【図面の簡単な説明】
【００１３】
【図１】本発明による収納箱１の外観形状
【図２】収納箱１の展開形状図
【図３】収納箱１の貼合工程
【図４】収納箱１の組立工程
【図５】収納箱１の断面図
【発明を実施するための形態】
【００１４】
以下に、本発明を実施するための形態を、添付の図面に基づいて詳細に説明する。
【実施例１】
【００１５】
本発明の実施例による、収納箱について説明する。
【００１６】
まず図１Ａにて、本発明による収納箱の外観形状を説明する。なお、各図において、隠れて見えない部分は破線の矢印と括弧付きの記号にて示す。また誤読防止のため、小文字のアルファベット「ｉ」「ｌ」「ｏ」は本文中においては使用せず欠番とする。
【００１７】
１は本発明による収納箱の外観で、主に右外箱２と左外箱３により構成されている。右外箱２は直方体で、右面２ａ、下面２ｂ、後面２ｃ、上面２ｄ、前面２ｅにて収納箱１の右半分の外観面を形成し、左面２ｆが左外箱３に接している。次に、左外箱３は右外箱２と左右対称形状の直方体で、右面３ａが右外箱２に接し、下面３ｂ、後面３ｃ、上面３ｄ、前面３ｅ、左面３ｆにて収納箱１の左半分の外観面を形成している。そして、右外箱２と左外箱３を左右に引張ると分離し、図１Ｂを経て図１Ｃの様に中箱４が現れる。中箱４は右外箱２と左外箱３を足した外形より一回り小さい直方体で、上面４ｄが開放され、他の右面４ａ、下面４ｂ、後面４ｃ、前面４ｅ、左面４ｆで構成されている。この中箱４を右外箱２の左面２ｆおよび左外箱３の右面３ａから出し入れすることによって、中箱４の上面４ｄを右外箱２の上面２ｄおよび左外箱３の上面３ｄで覆った閉塞状態（図１Ａ）から、覆わない開放状態（図１Ｃ）に切り替えることができる。さらに、図１Ｄの様に、後フラップ４ｇと前フラップ４ｈを開けば、中へ品物を出し入れできる。
【００１８】
次に、図２にて収納箱１を展開した形状を説明する。
【００１９】
図１では、収納箱１はそれぞれ独立した右外箱２と、左外箱３と、中箱４の各箱を組み合わせた様な形態であったが、実際には収納箱１の全体の展開形状は図２の様に一枚の板材のみで構成しており、これを組立てて各箱の部分を形成している。この展開形状の表面側は右外箱２と左外箱３の外観側、および中箱４の内側に相当し、また板材は厚さ＝Ｔとする。なお、この板材を段ボール材で構成する場合、段ボール材の目方向は横方向とするのがよい。１ａはその目方向を表わす記号である。
【００２０】
まず、右外箱２を形成する部分について説明する。下面２ｂ、後面２ｃ、上面２ｄ、前面２ｅは折線２ｇ、２ｈ、２ｊを介して下から上へ縦一列に連結し、右面２ａは折線２ｋを介して上面２ｄの左に連結している。そして前面２ｅの上側には折線２ｍを介して貼合面２ｎが連結しており、これは下面２ｂに貼合わせて、２ｂ〜２ｅの各面を角筒状に形成するためのものである。また下面２ｂの左側には折線２ｐを介して係合面２ｑが連結しており、係合穴２ｒが設けてある。これは右面２ａの左側に折線２ｓを介して設けた係合爪２ｔを係合させて、角筒状に形成した各面２ｂ〜２ｅの右面２ａを閉じ、右外箱２を形成するためのものである。なお、ここで下面２ｂの縦幅をＬ１、後面２ｃと前面２ｅの横幅をＬ２、後面２ｃの縦幅をＬ３とする。
【００２１】
次に、左外箱３を形成する部分について説明する。下面３ｂ、後面３ｃ、上面３ｄ、前面３ｅは折線３ｇ、３ｈ、３ｊを介して下から上へ縦一列に連結し、左面３ｆは折線３ｋを介して上面３ｄの右に連結している。そして前面３ｅの上側には折線３ｍを介して貼合面３ｎが連結しており、これは下面３ｂに貼合わせて、３ｂ〜３ｅの各面を角筒状に形成するためのものである。また下面３ｂの右側には折線３ｐを介して係合面３ｑが連結しており、係合穴３ｒが設けてある。これは左面３ｆの右側に折線３ｓを介して設けた係合爪３ｔを係合させて、角筒状に形成した各面３ｂ〜３ｅの左面３ｆを閉じ、左外箱３を形成するためのものである。なお、ここで下面３ｂの縦幅をＬ４、後面３ｃと前面３ｅの横幅をＬ５、後面３ｃの縦幅をＬ６とする。
【００２２】
次に、中箱４を形成する部分について説明する。下面４ｂの上側には折線４ｊを介して後面４ｃが連結し、右側には折線４ｋを介して右面４ａ、左側には折線４ｍを介して左面４ｆが連結している。また、前面４ｅは後面４ｃから上側へ離れた位置にある。そして下面４ｂの下側には折線４ｎを介して貼合面４ｐが連結しており、これは前面４ｅに貼合わせて、下面４ｂに前面４ｅを連結するためのものである。また右面４ａの上側と下側には係合爪４ｑおよび４ｒがあり、これは後面４ｃと前面４ｅに設けた係合穴４ｓおよび４ｔに係合させるためのものである。同じく、左面４ｆの上側と下側には係合爪４ｕおよび４ｖがあり、これは後面４ｃと前面４ｅに設けた係合穴４ｗおよび４ｘに係合させるためのものである。さらに、後面４ｃには折線４ｙを介して後フラップ４ｇが連結し、前面４ｅには折線４ｚを介して前フラップ４ｈが連結している。
【００２３】
なお、ここで下面４ｂの前後幅をＬ７とすると、
Ｌ１＝Ｌ４＝Ｌ７＋Ｔ＊２＋α  （アルファ：αは所定値）、
つまり、右外箱２および左外箱３の下面２ｂと３ｂの前後幅Ｌ１とＬ４は等しく、かつ中箱４の下面４ｂの前後幅Ｌ７に段ボール材の厚さＴの２枚分と所定値αを加えた寸法に等しい。
【００２４】
また、後面４ｃと前面４ｅの左右幅をＬ８とすると、
Ｌ２＋Ｌ５＝Ｌ８＋Ｔ＊４＋β  （ベータ：βは所定値）、
つまり、右外箱２および左外箱３の後面２ｃと３ｃの左右幅Ｌ２とＬ５の合計は、中箱４の後面４ｃの左右幅Ｌ８に段ボール材の厚さＴの４枚分と所定値βを加えた寸法に等しい。同じく、前面２ｅと前面３ｅの左右幅Ｌ２とＬ５の合計も、前面４ｅの左右幅Ｌ８に段ボール材の厚さＴの４枚分と所定値βを加えた寸法に等しい。
【００２５】
さらに、後面４ｃの上下幅をＬ９とすると、
Ｌ３＝Ｌ６＝Ｌ９＋Ｔ＋γ  （ガンマ：γは所定値）、
つまり、右外箱２および左外箱３の後面２ｃと３ｃの上下幅Ｌ３とＬ６は等しく、かつ中箱４の後面４ｃの上下幅Ｌ９に段ボール材の厚さＴの１枚分と所定値γを加えた寸法に等しい。
【００２６】
次に、第一ヒンジ板５と第二ヒンジ板６と第三ヒンジ板７と第四ヒンジ板８を説明する。これは、右外箱２と中箱４をつないで屈伸することにより、右外箱２から中箱４を出し入れ可能に連結するためのものである。
【００２７】
第一ヒンジ板５は第一折線５ａを介して後面２ｃに連結し、第二ヒンジ板６は第二折線６ａを介して後面４ｃに連結しかつヒンジ折線９を介して第一ヒンジ板５に連結している。９ａはヒンジ穴で、ヒンジ折線９のほぼ中間位置にある。また第三ヒンジ板７は第三折線７ａを介して前面２ｅに連結し、第四ヒンジ板８は第四折線８ａを介して前面４ｅに連結しかつヒンジ折線１０を介して第三ヒンジ板７に連結している。１０ａはヒンジ穴で、ヒンジ折線１０のほぼ中間位置にある。このヒンジ穴９ａおよび１０ａは、直径が２０ｍｍ〜２５ｍｍほどで、ちょうど人差し指が入れやすい大きさの穴である。また、先述の様に段ボールの目方向を１ａの様に横方向とすると、ヒンジ折線９および１０は目方向１ａと直交方向になる。
【００２８】
ここで第一ヒンジ板５と第三ヒンジ板７の横幅をＬ１０、第二ヒンジ板６と第四ヒンジ板８の横幅をＬ１１とすると、
Ｌ１０＝Ｌ１１＋Ｔ−δ  （デルタ：δは所定値）、
つまり、第一ヒンジ板５の横幅Ｌ１０は、第二ヒンジ板６の横幅Ｌ１１に段ボール材の厚さＴの１枚分を加えて所定値δを引いた寸法に等しい。同じく、第三ヒンジ板７の横幅Ｌ１０も、第四ヒンジ板８の横幅Ｌ１１に段ボール材の厚さＴの１枚分を加えて所定値δを引いた寸法に等しい。
【００２９】
また、第一ヒンジ板５と第二ヒンジ板６と後面２ｃ、および第三ヒンジ板７と第四ヒンジ板８と前面２ｅとの関係をみると、
Ｌ１０＋Ｌ１１＝Ｌ２−ε  （イプシロン：εは所定値）、
つまり、第一ヒンジ板５と第二ヒンジ板６の横幅Ｌ１０とＬ１１の合計は、右外箱２の後面２ｃの左右幅Ｌ２から所定値εを引いた寸法に等しい。同じく、第三ヒンジ板７と第四ヒンジ板８の横幅Ｌ１０とＬ１１の合計も、右外箱２の前面２ｅの左右幅Ｌ２から所定値εを引いた寸法に等しい。
【００３０】
次に、第五ヒンジ板１１と第六ヒンジ板１２と第七ヒンジ板１３と第八ヒンジ板１４を説明する。これは、左外箱３と中箱４をつないで屈伸することにより、左外箱３から中箱４を出し入れ可能に連結するためのものである。第五ヒンジ板１１は第五折線１１ａを介して後面３ｃに連結し、第六ヒンジ板１２は第六折線１２ａを介して後面４ｃに連結しかつヒンジ折線１５を介して第五ヒンジ板１１に連結している。１５ａはヒンジ穴で、ヒンジ折線１５のほぼ中間位置にある。また第七ヒンジ板１３は第七折線１３ａを介して前面3ｅに連結し、第八ヒンジ板１４は第八折線１４ａを介して前面４ｅに連結しかつヒンジ折線１６を介して第七ヒンジ板１３に連結している。１６ａはヒンジ穴で、ヒンジ折線１６のほぼ中間位置にある。このヒンジ穴１５ａおよび１６ａは、直径が２０ｍｍ〜２５ｍｍほどで、ちょうど人差し指が入れやすい大きさの穴である。また、先述の様に段ボールの目方向を１ａの様に横方向とすると、ヒンジ折線１５および１６は目方向１ａと直交方向になる。
【００３１】
ここで第五ヒンジ板１１と第七ヒンジ板１３の横幅をＬ１２、第六ヒンジ板１２と第八ヒンジ板１４の横幅をＬ１３とすると、
Ｌ１２＝Ｌ１３＋Ｔ＋ζ  （ゼータ：ζは所定値）、
つまり、第五ヒンジ板１１の横幅Ｌ１２は、第六ヒンジ板１２の横幅Ｌ１３に段ボール材の厚さＴの１枚分を加えて所定値ζを引いた寸法に等しい。同じく、第七ヒンジ板１３の横幅Ｌ１２も、第八ヒンジ板１４の横幅Ｌ１３に段ボール材の厚さＴの１枚分を加えて所定値ζを引いた寸法に等しい。
【００３２】
また、第五ヒンジ板１１と第六ヒンジ板１２と後面３ｃ、および第七ヒンジ板１３と第八ヒンジ板１４と前面３ｅとの関係をみると、
Ｌ１２＋Ｌ１３＝Ｌ５−η  （エータ：ηは所定値）、
つまり、第五ヒンジ板１１と第六ヒンジ板１２の横幅Ｌ１２とＬ１３の合計は、左外箱３の後面３ｃの左右幅Ｌ５から所定値ηを引いた寸法に等しい。同じく、第七ヒンジ板１３と第八ヒンジ板１４の横幅Ｌ１２とＬ１３の合計も、左外箱３の前面３ｅの左右幅Ｌ５から所定値ηを引いた寸法に等しい。
【００３３】
本発明による収納箱１の展開形状は、以上の様に構成されている。すなわちこの展開形状は、右側に右外箱２の各面２ｂ〜２ｅを縦一列に連結し、左側に左外箱３の各面３ｂ〜３ｅを縦一列に連結し、上側に前面２ｅから３ｅまでの各面を横一列に連結し、下側に下面２ｂと４ｂと３ｂを並べ、それらの間に各面を配置した略長方形の形状を成している。よって、材料となる原紙の形状をそれに合わせた長方形にすることで、端材がほとんど発生しない、きわめて材取り効率の高い展開形状に構成することができる。
【００３４】
次に、収納箱１を図２の様な展開形状から図１の様な箱形状に組立てる方法を説明する。
【００３５】
最初に、展開形状の収納箱１を貼合する工程を説明する。図３Ａは図２の展開形状を斜め方向から見た状態であり、これを図３Ｂの様に第一折線５ａと第三折線７ａを一緒に山折りして、下面２ｂ、後面２ｃ、上面２ｄ、前面２ｅ、右面２ａの各面を表裏逆にする。同じく第五折線１１ａと第七折線１３ａも一緒に山折りして、左面３ｆ、下面３ｂ、後面３ｃ、上面３ｄ、前面３ｅの各面を表裏逆にする。このため、右外箱２と左外箱３の印刷面はいったん裏返しに隠れることになる。
【００３６】
次に、図３Ｃの様に、折線４ｊを谷折りして下面４ｂと貼合面４ｐを表裏逆にして、貼合面４ｐに糊付けを行なう。このとき、下面４ｂは印刷面がいったん裏側へ隠れる。そのまま続けて図３Ｄの様に折線２ｊと３ｊを谷折りにして前面４ｅの印刷面も表裏逆にする。すると、貼合面４ｐに塗布した糊付けの上に前面４ｅが重なるので、そのまま貼合わせる。また、折線２ｊと３ｊを谷折りした結果、前面２ｅと貼合面２ｎ、および前面３ｅと貼合面３ｎの印刷面が再び現れるので、そのまま貼合面２ｎと３ｎにも糊付けを行なう。さらに続けて図３Ｅの様に折線２ｇと３ｇを谷折りにして下面２ｂと３ｂも再び表裏逆にする。すると貼合面２ｎに塗布した糊付けの上に下面２ｂが重なり、かつ貼合面３ｎに塗布した糊付けの上に下面３ｂが重なるので、そのまま貼合わせる。
【００３７】
以上で貼合工程は完了し、収納箱１は図３Ｅの様な折り畳み状態となる。つまり、収納箱１は、図２の展開形状にて第一折線５ａと第五折線１１ａに挟まれた横一列の各面を固定し、他の各面を順次折り重ねつつ同一面側からのみ糊付けを塗布することで貼合できるので、作業しやすく、所謂グルアーマシン等による自動製函加工にも対応可能で生産性がよい。なお、この図３Ｅの折り畳み状態では、右外箱２の下面２ｂと後面２ｃと上面２ｄと前面２ｅ、および左外箱３の下面３ｂと後面３ｃと上面３ｄと前面３ｅはいずれも印刷面を外側に向けた状態である。また中箱４は下面４ｂと後面４ｃの印刷面同士が内側に向かい合う様にして折り畳まれている。
【００３８】
次に、この折り畳み状態を箱形状に立ち上げる作業を説明する。まず、図３Ｅの折り畳み状態のまま図４Ａの様に裏返しにしてから、図４Ｂの様に先ほど折った折線２ｇと３ｇおよび２ｊと３ｊを戻しつつ、折線２ｈと３ｈおよび２ｍと３ｍと４ｎを折って、全体を図４Ｃの様に起こす。つぎに後フラップ４ｇと前フラップ４ｈを内側に折って図４Ｄの様にする。ここで説明の便宜上、２ａ、２ｄ、２ｅ、２ｔ、３ｄ、３ｅ、３ｆ、３ｔ、４ｇ、４ｈの各面を非表示にすると、内部は図４Ｅの様な状態になっている。そこで右面４ａを図４Ｆの様に起こし、係合爪４ｑを後面４ｃに設けた係合穴４ｓに係合させ、係合爪４ｒを前面４ｅに設けた係合穴４ｔに係合させる。同様に、左面４ｆも起こし、係合爪４ｕを後面４ｃに設けた係合穴４ｗに係合させ、係合爪４ｖを前面４ｅに設けた係合穴４ｘに係合させる。これで中箱４が形成される。このとき、中箱４の右面４ａと下面４ｂと後面４ｃと前面４ｅと左面４ｆはいずれも印刷面が内側になるので、展開形状にて印刷した意匠は全て収納部内面に表示される。そこで、例えば中箱４に収納される内容物の説明や収納位置等を展開形状の表面側に印刷するだけで、それらを一括して中箱４の内部に表示することができる。
【００３９】
次に、図４Ｇの様に、山折りした第一折線５ａと第三折線７ａを戻しつつヒンジ折線９と１０を折り、同時に第二折線６ａと第四折線８ａを折る。同様に、山折りした第五折線１１ａと第七折線１３ａを戻しつつヒンジ折線１５と１６を折し、同時に第六折線１２ａと第八折線１４ａを折る。このとき、ヒンジ折線９、１０、１５、１６の中間にはヒンジ穴９ａ、１０ａ、１５ａ、１６ａが開けてあるので、ヒンジ折線９、１０、１５、１６のコシが緩和されて折りやすい。さらにヒンジ穴９ａ、１０ａ、１５ａ、１６ａは直径２０ｍｍ〜２５ｍｍほどに設定しているので、ここに人差し指を入れて引張れるので折りやすく、より作業が容易である。このとき実際には収納箱１の外観は図４Ｈの様な状態であるので、上記の作業は右外箱２と左外箱３の左右からそれぞれ手を入れて行うことができる。そして図４Ｉの様に、ヒンジ折線９、１０、１５、１６を折ると、図４Ｊの様に中箱４は右外箱２と左外箱３で覆われ見えなくなる。
【００４０】
そして、図４Ｋの様に折線２ｐを折って係合面２ｑを起こし、折線２ｓも折って係合爪２ｔを起こしてから、折線２ｋを折って、係合穴２ｒに係合爪２ｔを差し込みつつ図４Ｌの様に右面２ａを閉じる。同様に、折線３ｐを折って係合面３ｑを起こし、折線３ｓも折って係合爪３ｔを起こしてから、折線３ｋを折って、係合穴３ｒに係合爪３ｔを差し込みつつ左面３ｆを閉じる。すると図４Ｌの様な組立状態に完成する。なお、このとき右外箱２の外観を構成する２ａ〜２ｅと左外箱３の外観を構成する３ｂ〜３ｆはいずれも外側に印刷面が現れる。よって、収納箱１は展開形状の表面側に印刷するだけで、右外箱２と左外箱３の外観表面と中箱４の内部すべてに印刷を施すことができる。
【００４１】
本発明による収納箱は以上の様に形成されている。この収納箱１へ品物を収納するには、図１の様に右外箱２と左外箱３を左右へ分離する様に引張ると、中から中箱４が現れるので、ここに品物を入れればよい。必要に応じ、中パッキン等を先に入れ、ここに複数の品物を入れる包装形態としてもよい。その後は右外箱２と左外箱３を互いに接近させる様に移動させると閉じることができる。
【００４２】
この収納箱１を開閉する操作について詳細に説明する。
【００４３】
図５に、収納箱１の断面図を示す。図５Ａ、図５Ｃ、図５Ｅは収納箱１を上面から見た状態で、図５Ｂ、図５Ｄ、図５Ｆは前面から見た状態である。
【００４４】
図５Ａは収納箱１を閉じた状態であり、中箱４は右半分を右外箱２に覆われている。そして、後面２ｃに第一折線５ａを介して連結した第一ヒンジ板５と、後面４ｃに第二折線６ａを介して連結した第二ヒンジ板６が、ヒンジ折線９で折れて重なり、右面２ａと右面４ａに挟まれている。同じく、前面２ｅに第三折線７ａを介して連結した第三ヒンジ板７と、前面４ｅに第四折線８ａを介して連結した第四ヒンジ板８も、ヒンジ折線１０で折れて重なり、右面２ａと右面４ａに挟まれている。この様に、右外箱２と中箱４をつないだ第一ヒンジ板５と第二ヒンジ板６および第三ヒンジ板７と第四ヒンジ板８は、すべて右外箱２の内側に収まり外部へ露出しないので、収納箱１の外観を損なう事なく、また物流時のじゃまになったり、外部に引掛って損傷する事もない。
【００４５】
また同様に、中箱４は左半分を左外箱３に覆われている。そして、後面３ｃに第五折線１１ａを介して連結した第五ヒンジ板１１と、後面４ｃに第六折線１２ａを介して連結した第六ヒンジ板１２が、ヒンジ折線１５で折れて重なり、左面３ｆと左面４ｆに挟まれている。同じく、前面３ｅに第七折線１３ａを介して連結した第七ヒンジ板１３と、前面４ｅに第八折線１４ａを介して連結した第八ヒンジ板１４も、ヒンジ折線１６で折れて重なり、左面３ｆと左面４ｆに挟まれている。この様に、左外箱３と中箱４をつないだ第五ヒンジ板１１と第六ヒンジ板１２および第七ヒンジ板１３と第八ヒンジ板１４も、すべて左外箱３の内側に収まり外部へ露出しないので、収納箱１の外観を損なう事なく、また物流時のじゃまになったり、外部に引掛って損傷する事もない。
【００４６】
また、先述の様に、右外箱２および左外箱３の後面２ｃと３ｃの左右幅Ｌ２とＬ５の合計は、中箱４の後面４ｃの左右幅Ｌ８に段ボール材の厚さＴの４枚分と所定値βを加えた寸法に等しい。この「段ボール材４枚分」は、第一ヒンジ板５と第二ヒンジ板６と第五ヒンジ板１１と第六四ヒンジ板１２の計４枚分に相当するから、右外箱２と左外箱３を閉じた時は所定値βの左右方向スキマをもって中箱４を収納でき、ぴったりと閉じて美しい外観を形成できる。なお、これは前面２ｅと３ｅと４ｅにおいても同様である。
【００４７】
また、先述の様に、右外箱２および左外箱３の下面２ｂと３ｂの前後幅Ｌ１とＬ４は等しいので、収納箱１を閉じた状態では右外箱２と左外箱３の前後幅がちょうど一致し、美しい外観を形成できる。これを前面から見ると図５Ｂの様になっており、先述の様に後面２ｃと３ｃの上下幅Ｌ３とＬ６も等しいので、右外箱２と左外箱３の上下幅もちょうど一致し、美しい外観を形成できる。
【００４８】
さて、この収納箱１を開けるには、図１Ｂの様に右外箱２と左外箱３を左右に引張る。すると中箱４の右半分を覆っていた右外箱２は図５Ａから図５Ｃの様に右方向へ移動し、ヒンジ折線９で折り畳まれていた第一ヒンジ板５と第二ヒンジ板６が開き、ヒンジ折線１０で折り畳まれていた第三ヒンジ板７と第四ヒンジ板８も開く。このとき、先述の様に、右外箱２の下面２ｂの前後幅Ｌ１は中箱４の下面４ｂの前後幅Ｌ７に段ボール材の厚さＴの２枚分と所定値αを加えた寸法に等しい。この「段ボール材２枚分」は、中箱４の後面４ｃと前面４ｅの計２枚分に相当するので、右外箱２と中箱４は所定値αの前後方向スキマをもって、スムーズに移動することができる。また先述の様に、右外箱２の後面２ｃの上下幅Ｌ３は中箱４の後面４ｃの上下幅Ｌ９に段ボール材の厚さＴの１枚分と所定値γを加えた寸法に等しい。この「段ボール材１枚分」は、図５Ｄの様に中箱４の下面４ｂの１枚分に相当するので、右外箱２と中箱４は所定値γの上下方向スキマをもって、スムーズに移動することができる。
【００４９】
そして、右外箱２が開くと、図５Ｅの様に第一ヒンジ板５と第二ヒンジ板６が平行になり、第三ヒンジ板７と第四ヒンジ板８も平行になって、右外箱２はそれ以上右方向へ移動しなくなる。このとき、先述の様に、第一ヒンジ板５と第二ヒンジ板６の横幅Ｌ１０とＬ１１の合計は、右外箱２の後面２ｃの左右幅Ｌ２から所定値εを引いた寸法に等しい。同じく、第三ヒンジ板７と第四ヒンジ板８の横幅Ｌ１０とＬ１１の合計も、右外箱２の前面２ｅの左右幅Ｌ２から所定値εを引いた寸法に等しい。よって、中箱４は右側が値εの分だけ右外箱２に覆われたままの状態でそれ以上移動しないので、右外箱２を開けても第一ヒンジ板５〜第四ヒンジ板８が外部に露出せず隠すことができる。また従来例の様に箱同士の係止がはずれて分離してしまう様な虞も一切ない。ただし、この状態では折線５ａ、６ａ、７ａ、８ａおよびヒンジ折線９、１０に折り癖があるので、その反力により図５Ｃの状態へ戻ろうとする力が生じる。これについては後述する。
【００５０】
また、中箱４の左半分を覆っていた左外箱３も図５Ａから図５Ｃの様に左方向へ移動し、ヒンジ折線１５で折り畳まれていた第五ヒンジ板１１と第六ヒンジ板１２が開き、ヒンジ折線１６で折り畳まれていた第七ヒンジ板１３と第八ヒンジ板１４も開く。このとき、先述の様に、左外箱３の下面３ｂの前後幅Ｌ４は中箱４の下面４ｂの前後幅Ｌ７に段ボール材の厚さＴの２枚分と所定値αを加えた寸法に等しい。この「段ボール材２枚分」は、中箱４の後面４ｃと前面４ｅの計２枚分に相当するので、左外箱３と中箱４も所定値αの前後方向スキマをもって、スムーズに移動することができる。また先述の様に、左外箱３の後面３ｃの上下幅Ｌ３は中箱４の後面４ｃの上下幅Ｌ９に段ボール材の厚さＴの１枚分と所定値γを加えた寸法に等しい。この「段ボール材１枚分」は、前面から見ると図５Ｄの様に中箱４の下面４ｂの１枚分に相当するので、左外箱３と中箱４も所定値γの上下方向スキマをもって、スムーズに移動することができる。
【００５１】
そして、左外箱３が開くと、図５Ｅの様に第五ヒンジ板１１と第六ヒンジ板１２が平行になり、第七ヒンジ板１３と第八ヒンジ板１４も平行になって、左外箱３はそれ以上左方向へ移動しなくなる。このとき、先述の様に、第五ヒンジ板１１と第六ヒンジ板１２の横幅Ｌ１２とＬ１３の合計は、左外箱３の後面３ｃの左右幅Ｌ５から所定値ηを引いた寸法に等しい。同じく、第七ヒンジ板１３と第八ヒンジ板１４の横幅Ｌ１２とＬ１３の合計も、左外箱３の前面３ｅの左右幅Ｌ５から所定値ηを引いた寸法に等しい。よって、中箱４は左側が値ηの分だけ左外箱３に覆われたままの状態でそれ以上移動しないので、左外箱３を開けても第五ヒンジ板１１〜第八ヒンジ板１４が外部に露出せず隠すことができる。また従来例の様に箱同士の係止がはずれて分離してしまう様な虞も一切ない。ただし、この状態では折線１１ａ、１２ａ、１３ａ、１４ａおよびヒンジ折線１５、１６に折り癖があるので、その反力により図５Ｃの状態へ戻ろうとする力が生じる。これは右外箱２の場合と同様である。
【００５２】
さて、こうして収納箱１を開いたのが図１Ｃの状態である。このとき、右外箱２は折線５ａ、６ａ、７ａ、８ａおよびヒンジ折線９、１０に折り癖があり、また左外箱３も折線１１ａ、１２ａ、１３ａ、１４ａおよびヒンジ折線１５、１６に折り癖があるので、その反力により図１Ｂの様な半開きの状態へ戻ろうとする力が生じている。そこで最後に、図１Ｄの様に後フラップ４ｇと前フラップ４ｈを開く。こうすることで、後フラップ４ｇと前フラップ４ｈが右外箱２の上面２ｄと左外箱３の上面３ｄの間に挟まった状態になるので、右外箱２と左外箱３が戻ることなく、開いた状態で維持することができる。また後フラップ４ｇと前フラップ４ｈの傾斜により、中へ品物を出し入れするのも容易になる。
【００５３】
さて、この収納箱１を再び閉じるには、図１Ｃから図１Ａの様に右外箱２と左外箱３を左右から押す。すると、右外箱２は図５Ａの様に左方向へ戻って中箱４の右半分を覆い、第一ヒンジ板５と第二ヒンジ板６がヒンジ折線９で折れて重なり、第三ヒンジ板７と第四ヒンジ板８もヒンジ折線１０で折れて重なる。このとき、先述の様に、第一ヒンジ板５の横幅Ｌ１０は、第二ヒンジ板６の横幅Ｌ１１に段ボール材の厚さＴの１枚分を加えて所定値δを引いた寸法に等しい。この「段ボール材１枚分」は、中箱４の後面４ｃの厚さに相当し、これによって、第一ヒンジ板５と第二ヒンジ板６がヒンジ折線９で折れて重なったときにちょうど後面４ｃの外面側と右外箱２の後面２ｃの内面側が接した状態となる。ここでさらに所定値δを引いているのは、その分後面４ｃの外面側が後面２ｃの内面側に接触圧を加えるためであり、この接触圧によって、右外箱２の後面２ｃと中箱４の後面４ｃは閉じた状態の位置関係を維持できる。これは前面２ｅと４ｅにおいても同様であり、この効果によって、右外箱２は中箱４の右半分を覆って閉じた状態をロックできる。
【００５４】
また、左外箱３も図５Ａの様に右方向へ戻って中箱４の左半分を覆い、第五ヒンジ板１１と第六ヒンジ板１２がヒンジ折線１５で折れて重なり、第七ヒンジ板１３と第八ヒンジ板１４もヒンジ折線１６で折れて重なる。このとき、先述の様に、第五ヒンジ板１１の横幅Ｌ１２は、第六ヒンジ板１２の横幅Ｌ１３に段ボール材の厚さＴの１枚分を加えて所定値ζを引いた寸法に等しい。この「段ボール材１枚分」は、中箱４の後面４ｃの厚さに相当し、これによって、第五ヒンジ板１１と第六ヒンジ板１２がヒンジ折線１５で折れて重なったときにちょうど後面４ｃの外面側と左外箱３の後面３ｃの内面側が接した状態となる。ここでさらに所定値ζを引いているのは、その分後面４ｃの外面側が後面３ｃの内面側に接触圧を加えるためであり、この接触圧によって、左外箱３の後面３ｃと中箱４の後面４ｃも閉じた状態の位置関係を維持できる。これは前面３ｅと４ｅにおいても同様であり、この効果によって、左外箱３も中箱４の左半分を覆って閉じた状態をロックできる。
【００５５】
また、この包装箱１を段ボール材で構成する場合、先述の図２の様に段ボール材の目方向を１ａの様に横方向としておけば、ヒンジ折線９、１０、１５、１６が屈折動作しても各第一ヒンジ板５〜第四ヒンジ板８、および第五ヒンジ板１１〜第八ヒンジ板１４が変形せず、ヒンジ機構が破損しない。特に、この様な接触圧によって箱を閉じた状態をロックする機構を設ける場合には有効である。
【００５６】
なお、本実施例では左右２つの外箱を構成したが、片方の外箱だけで構成してもよい。この場合、例えば図２において第六折線１２ａと第八折線１４ａより左側を削除し、左面４ｆを拡大補強し、寸法Ｌ８を略半分にして中箱４の左右寸法を半減すれば容易に実現可能である。さらにその状態で全体の尺度を伸縮するなど収納箱の用途や加工条件に応じ様々に選択すればよい。
【００５７】
請求項１に記載の本発明に係るアコーデオンボックスは、
直方体で、左面（２ｆ）が開放された右外箱（２）と、
該右外箱（２）より一回り小さい直方体で、上面（４ｄ）が開放され、該右外箱の該左面（２ｆ）から出し入れする中箱（４）と、
を有する収納箱（１）において、
該右外箱の後面（２ｃ）の右側内部に、該中箱（４）が移動する方向と直交する第一折線（５ａ）を介して接続する第一ヒンジ板（５）と、
該中箱の後面（４ｃ）の右側外部に、該第一折線（５ａ）と並行な第二折線（６ａ）を介して接続する第二ヒンジ板（６）と、
を有し、
該右外箱の前面（２ｅ）の右側内部に、該中箱（４）が移動する方向と直交する第三折線（７ａ）を介して接続する第三ヒンジ板（７）と、
該中箱の前面（４ｅ）の右側外部に、該第三折線（７ａ）と並行な第四折線（８ａ）を介して接続する第四ヒンジ板（８）と、
を有し、
該第一ヒンジ板（５）と該第二ヒンジ板（６）は、該第一折線（５ａ）と並行なヒンジ折線（９）を介して接続し、
該第三ヒンジ板（７）と該第四ヒンジ板（８）は、該第三折線（７ａ）と並行なヒンジ折線（１０）を介して接続し、
該第一ヒンジ板（５）と該第二ヒンジ板（６）を接続する該ヒンジ折線（９）にて屈伸動作し、かつ該第三ヒンジ板（７）と該第四ヒンジ板（８）を接続する該ヒンジ折線（１０）にて屈伸動作することにより、該中箱（４）を該右外箱（２）から出し入れすること、
を特徴としている。
【００５８】
効果：右外箱（２）と中箱（４）が直結してストッパー機構がないので、強い力で引張ってストッパーが壊れたり、ストッパーが空振りして箱同士が外れることがない。
【００５９】
請求項２に記載の本発明に係るアコーデオンボックスは、
請求項１に記載のアコーデオンボックスにおいて、
該右外箱の該左面（２ｆ）と同じ大きさの右面（３ａ）を持つ直方体で、該左外箱の該右面（３ａ）が開放された左外箱（３）と、
該左外箱の該右面（３ａ）から出し入れする該中箱（４）と、
を有する該収納箱（１）において、
該左外箱の後面（３ｃ）の左側内部に、該中箱（４）が移動する方向と直交する第五折線（１１ａ）を介して接続する第五ヒンジ板（１１）と、
該中箱の該後面（４ｃ）の左側外部に、該第五折線（１１ａ）と並行な第六折線（１２ａ）を介して接続する第六ヒンジ板（１２）と、
を有し、
該左外箱の前面（３ｅ）の左側内部に、該中箱（４）が移動する方向と直交する第七折線（１３ａ）を介して接続する第七ヒンジ板（１３）と、
該中箱の該前面（４ｅ）の左側外部に、該第七折線（１３ａ）と並行な第八折線（１４ａ）を介して接続する第八ヒンジ板（１４）と、
を有し、
該第五ヒンジ板（１１）と該第六ヒンジ板（１２）は、該第五折線（１１ａ）と並行なヒンジ折線（１５）を介して接続し、
該第七ヒンジ板（１３）と該第八ヒンジ板（１４）は、該第七折線（１３ａ）と並行なヒンジ折線（１６）を介して接続し、
該第五ヒンジ板（１１）と該第六ヒンジ板（１２）を接続する該ヒンジ折線（１５）にて屈伸動作し、かつ該第七ヒンジ板（１３）と該第八ヒンジ板（１４）を接続する該ヒンジ折線（１６）にて屈伸動作することにより、該中箱（４）を該左外箱（３）から出し入れすること、
を特徴としている。
【００６０】
効果：外箱を左右二つ（２、３）にして、より大きい中箱（４）を形成でき、より多くの物品を収納できる。
【００６１】
請求項３に記載の本発明に係るアコーデオンボックスは、
請求項２に記載のアコーデオンボックスにおいて、
該収納箱（１）の展開形状は一枚の板材にて構成され、
展開形状は略長方形を成し、
展開形状の右辺側に該右外箱の該前面（２ｅ）と該右外箱の上面（２ｄ）と該右外箱の該後面（２ｃ）と該右外箱の下面（２ｂ）を縦一列に順次連結し、
展開形状の左辺側に該左外箱の該前面（３ｅ）と該左外箱の上面（３ｄ）と該左外箱の該後面（３ｃ）と該左外箱の下面（３ｂ）を縦一列に順次連結し、
展開形状の上辺側に該右外箱の該前面（２ｅ）と該第三ヒンジ板（７）と該第四ヒンジ板（８）と該中箱の該前面（４ｅ）と該第八ヒンジ板（１４）と該第七ヒンジ板（１３）と該左外箱の該前面（３ｅ）を横一列に順次連結し、
該右外箱の該後面（２ｃ）と該第一ヒンジ板（５）と該第二ヒンジ板（６）と該中箱の該後面（４ｃ）と該第八ヒンジ板（１４）と該第七ヒンジ板（１３）と該左外箱の該後面（３ｃ）を横一列に順次連結すると共に該中箱の該後面（４ｃ）に該中箱の下面（４ｂ）を連結し、
展開形状の下辺側に該右外箱の該下面（２ｂ）と該中箱の該下面（４ｂ）と該左外箱の該下面（３ｂ）を横一列に並べたこと、
を特徴としている。
【００６２】
効果：材料となる板材の形状を展開形状の略長方形にすることができ、余白が少なく材取りのよい加工ができ、材料を無駄なく使用することが出来る。
【００６３】
請求項４に記載の本発明に係るアコーデオンボックスは、
請求項２又は請求項３に記載のアコーデオンボックスにおいて、
該収納箱（１）の展開形状は一枚の段ボール材にて構成され、
晩ボールの目方向は、ヒンジ折線（９、１０、１５、１６）と直交する方向であること、
を特徴としている。
【００６４】
効果：ヒンジ折線（９、１０、１５、１６）が屈折動作してもヒンジ板（５〜８、１１〜１３）が変形せずヒンジ機構が破損しない。
【００６５】
請求項５に記載の本発明に係るアコーデオンボックスは、
請求項２乃至請求項４の何れか一項に記載のアコーデオンボックスにおいて、
該右外箱の該前面（２ｅ）に該右外箱の貼合面（２ｎ）を連結し、
該左外箱の該前面（３ｅ）に該左外箱の貼合面（３ｎ）を連結し、
該中箱の該下面（４ｂ）に該中箱の該貼合面（４ｐ）を連結して構成され、
該第一折線（５ａ）と該第三折線（７ａ）を山折りし、
該第五折線（１１ａ）と該第七折線（１３ａ）を山折りし、
該中箱の該後面（４ｃ）に対し該中箱の該下面（４ｂ）を谷折りし、
該右外箱の該上面（２ｄ）と該左外箱の該上面（３ｄ）に対し該右外箱の該前面（２ｅ）と該左外箱の該前面（３ｅ）を谷折りにしたとき、
該中箱の該貼合面（４ｐ）と該中箱の該前面（４ｅ）が重なること、
を特徴としている。
【００６６】
請求項６に記載の本発明に係るアコーデオンボックスは、
請求項５に記載のアコーデオンボックスにおいて、
該右外箱の該後面（２ｃ）に対し該右外箱の該下面（２ｂ）を谷折りしたとき、
該右外箱の該貼合面（２ｎ）と該右外箱の該下面（２ｂ）が重なること、
を特徴としている。
【００６７】
請求項７に記載の本発明に係るアコーデオンボックスは、
請求項５又は請求項６に記載のアコーデオンボックスにおいて、
該左外箱の該後面（３ｃ）に対し該左外箱の該下面（３ｂ）を谷折りしたとき、
該左外箱の該貼合面（３ｎ）と該左外箱の該下面（３ｂ）が重なること、
を特徴としている。
【００６８】
効果（請求項５〜請求項７共通）：第一ヒンジ板（５）から第五ヒンジ板（１１）に連なる横一列の各面を固定し、他の各面を順次折り重ねつつ同一面側からのみ糊付けすれば貼合できるので作業しやすく、グルアーマシン等による自動製函加工にも対応できるなど、生産性がよい。
【００６９】
請求項８に記載の本発明に係るアコーデオンボックスは、
請求項２乃至請求項７の何れか一項に記載のアコーデオンボックスにおいて、
該第一ヒンジ板（５）と該第二ヒンジ板（６）を接続する該ヒンジ折線（９）の略中間位置に、ヒンジ穴（９ａ）を設けたこと、
を特徴としている。
【００７０】
請求項９に記載の本発明に係るアコーデオンボックスは、
請求項２乃至請求項８の何れか一項に記載のアコーデオンボックスにおいて、
該第三ヒンジ板（７）と該第四ヒンジ板（８）を接続する該ヒンジ折線（１０）の略中間位置に、ヒンジ穴（１０ａ）を設けたこと、
を特徴としている。
【００７１】
請求項１０に記載の本発明に係るアコーデオンボックスは、
請求項２乃至請求項９の何れか一項に記載のアコーデオンボックスにおいて、
該第一ヒンジ板（１１）と該第二ヒンジ板（１２）を接続する該ヒンジ折線（１５）の略中間位置に、ヒンジ穴（１５ａ）を設けたこと、
を特徴としている。
【００７２】
請求項１１に記載の本発明に係るアコーデオンボックスは、
請求項２乃至請求項１０の何れか一項に記載のアコーデオンボックスにおいて、
該第一ヒンジ板（１３）と該第二ヒンジ板（１４）を接続する該ヒンジ折線（１６）の略中間位置に、ヒンジ穴（１６ａ）を設けたこと、
を特徴としている。
【００７３】
効果（請求項８〜請求項１１共通）：ヒンジ折線（９、１０、１５、１６）を折り曲げるのに必要な力が緩和されて箱の組立時に折り曲げ作業がしやすく、また箱開閉時の屈折作動が容易になる。
【００７４】
請求項１２に記載の本発明に係るアコーデオンボックスは、
請求項８乃至請求項１１の何れか一項に記載のアコーデオンボックスにおいて、
該ヒンジ穴（９ａ、１０ａ、１５ａ、１６ａ）は直径が２０ｍｍ〜２５ｍｍの範囲であること、
を特徴としている。
【００７５】
効果：ヒンジ穴９ａ、１０ａ、１５ａ、１６ａの直径が２０ｍｍ〜２５ｍｍなので人差し指を入れる事が容易であり、裏側から指で押して折りやすく、より箱の組立作業が容易である。
【００７６】
請求項１３に記載の本発明に係るアコーデオンボックスは、
請求項２乃至請求項１２の何れか一項に記載のアコーデオンボックスにおいて、
該中箱の該後面（４ｃ）の上面側に、後フラップ（４ｇ）を有し、
該後フラップ（４ｇ）は、該右外箱（２）を右へ移動し該左外箱（３）を左へ移動した状態において、該右外箱の該上面（２ｄ）および該左外箱の該上面（３ｄ）より上方へ突出する様に開くこと、
を特徴としている。
【００７７】
請求項１４に記載の本発明に係るアコーデオンボックスは、
請求項２乃至請求項１３の何れか一項に記載のアコーデオンボックスにおいて、
該中箱の該前面（４ｅ）の上面側に、前フラップ（４ｈ）を有し、
該前フラップ（４ｈ）は、該右外箱（２）を右へ移動し該左外箱（３）を左へ移動した状態において、該右外箱の該上面（２ｄ）および該左外箱の該上面（３ｄ）より上方へ突出する様に開くこと、
を特徴としている。
【００７８】
効果（請求項１３、請求項１４共通）：後フラップ４ｇと前フラップ４ｈが右外箱２の上面２ｄと左外箱３の上面３ｄの間に挟まるので、右外箱２と左外箱３を開いた状態で維持することができる。またフラップの傾斜により、中へ品物を出し入れするのも容易にできる。
【００７９】
請求項１５に記載の本発明に係るアコーデオンボックスは、
請求項２乃至請求項１４の何れか一項に記載のアコーデオンボックスにおいて、
該右外箱の該下面（２ｂ）と該左外箱の該下面（３ｂ）は前後幅が略等しいこと、
を特徴としている。
【００８０】
効果：収納箱（１）を閉じた状態では右外箱（２）と左外箱（３）の前後幅が一致し、美しい外観を形成できる。
【００８１】
請求項１６に記載の本発明に係るアコーデオンボックスは、
請求項３乃至請求項１５の何れか一項に記載のアコーデオンボックスにおいて、
該右外箱の該下面（２ｂ）と該左外箱の該下面（３ｂ）の前後幅は、該中箱の該下面（４ｂ）の前後幅に板材の厚さの２枚分と所定値（α）を加えた寸法に略等しいこと、
を特徴としている。
【００８２】
効果：収納箱（１）を開くとき、右外箱（２）と中箱（４）は所定値（α）の前後方向スキマをもって、スムーズに移動することができる。また左外箱（３）と中箱（４）も所定値（α）の前後方向スキマをもって、スムーズに移動することができる。
【００８３】
請求項１７に記載の本発明に係るアコーデオンボックスは、
請求項３乃至請求項１６の何れか一項に記載のアコーデオンボックスにおいて、
該右外箱の該後面（２ｃ）と該左外箱の該後面（３ｃ）の左右幅の合計は、該中箱の該後面（４ｃ）の左右幅に板材の厚さの４枚分と所定値（β）を加えた寸法に略等しいこと、
を特徴としている。
【００８４】
請求項１８に記載の本発明に係るアコーデオンボックスは、
請求項３乃至請求項１７の何れか一項に記載のアコーデオンボックスにおいて、
該右外箱の該前面（２ｅ）と該左外箱の該前面（３ｅ）の左右幅の合計は、該中箱の該前面（４ｅ）の左右幅に板材の厚さの４枚分と所定値（β）を加えた寸法に略等しいこと、
を特徴としている。
【００８５】
効果（請求項１７、請求項１８共通）：右外箱（２）と左外箱（３）を閉じた時は所定値（β）の左右方向スキマをもって該中箱４を収納でき、ぴったりと閉じて美しい外観を形成できる。
【００８６】
請求項１９に記載の本発明に係るアコーデオンボックスは、
請求項２乃至請求項１８の何れか一項に記載のアコーデオンボックスにおいて、
該右外箱の該後面（２ｃ）と該左外箱の該後面（３ｃ）は上下幅が略等しいこと、
を特徴としている。
【００８７】
効果：収納箱（１）を閉じた状態では右外箱（２）と左外箱（３）の上下幅が一致し、美しい外観を形成できる。
【００８８】
請求項２０に記載の本発明に係るアコーデオンボックスは、
請求項３乃至請求項１９の何れか一項に記載のアコーデオンボックスにおいて、
該右外箱の該後面（２ｃ）と該左外箱の該後面（３ｃ）の上下幅は、該中箱の該後面（４ｃ）の上下幅に板材の厚さの１枚分と所定値（γ）を加えた寸法に略等しいこと、
を特徴としている。
【００８９】
効果：収納箱（１）を開くとき、右外箱（２）と中箱（４）は所定値（γ）の上下方向スキマをもって、スムーズに移動することができる。また左外箱（３）と中箱（４）も所定値（γ）の上下方向スキマをもって、スムーズに移動することができる。
【００９０】
請求項２１に記載の本発明に係るアコーデオンボックスは、
請求項３乃至請求項２０の何れか一項に記載のアコーデオンボックスにおいて、
該第一ヒンジ板（５）の横幅は、該第二ヒンジ板（６）の横幅に板材の厚さの１枚分を加えて所定値（δ）を引いた寸法に略等しいこと、
を特徴としている。
【００９１】
効果：右外箱（２）を閉じた時、所定値（δ）の分だけ該後面（４ｃ）が該後面（２ｃ）に接触圧を加えるので、右外箱（２）を閉じた状態でロックできる。
【００９２】
請求項２２に記載の本発明に係るアコーデオンボックスは、
請求項３乃至請求項２１の何れか一項に記載のアコーデオンボックスにおいて、
該第三ヒンジ板（７）の横幅は、該第四ヒンジ板（８）の横幅に板材の厚さの１枚分を加えて所定値（δ）を引いた寸法に略等しいこと、
を特徴としている。
【００９３】
効果：右外箱（２）を閉じた時、所定値（δ）の分だけ前面（４ｅ）が前面（２ｅ）に接触圧を加えるので、右外箱（２）を閉じた状態でロックできる。
【００９４】
請求項２３に記載の本発明に係るアコーデオンボックスは、
請求項２乃至請求項２２の何れか一項に記載のアコーデオンボックスにおいて、
該第一ヒンジ板（５）の横幅と該第二ヒンジ板（６）の横幅の合計は、該右外箱（２）の該後面（２ｃ）の左右幅から所定値（ε）を引いた寸法に略等しいこと、
を特徴としている。
【００９５】
請求項２４に記載の本発明に係るアコーデオンボックスは、
請求項２乃至請求項２３の何れか一項に記載のアコーデオンボックスにおいて、
該第三ヒンジ板（７）の横幅と該第四ヒンジ板（８）の横幅の合計は、該右外箱（２）の該前面（２ｅ）の左右幅から所定値（ε）を引いた寸法に略等しいこと、
を特徴としている。
【００９６】
効果（請求項１１〜請求項２４共通）：右外箱（２）を開けても第一ヒンジ板（５）〜第四ヒンジ板（８）が外部に露出せず隠すことができる。
【００９７】
請求項２５に記載の本発明に係るアコーデオンボックスは、
請求項３乃至請求項２４の何れか一項に記載のアコーデオンボックスにおいて、
該第五ヒンジ板（１１）の横幅は、該第六ヒンジ板（１２）の横幅に板材の厚さの１枚分を加えて所定値（ζ）を引いた寸法に略等しいこと、
を特徴としている。
【００９８】
効果：左外箱（３）を閉じた時、所定値（ζ）の分だけ後面（４ｃ）が後面（３ｃ）に接触圧を加えるので、左外箱（３）を閉じた状態でロックできる。
【００９９】
請求項２６に記載のアコーデオンボックスは、
請求項３乃至請求項２５の何れか一項に記載のアコーデオンボックスにおいて、
該第七ヒンジ板（１３）の横幅は、該第八ヒンジ板（１４）の横幅に板材の厚さの１枚分を加えて所定値（ζ）を引いた寸法に略等しいこと、
を特徴としている。
【０１００】
効果：左外箱（３）を閉じた時、所定値（ζ）の分だけ前面（４ｅ）が前面（３ｅ）に接触圧を加えるので、左外箱（３）を閉じた状態でロックできる。
【０１０１】
請求項２７に記載の本発明に係るアコーデオンボックスは、
請求項３乃至請求項２６の何れか一項に記載のアコーデオンボックスにおいて、
該第五ヒンジ板（５）の横幅と該第二ヒンジ板（６）の横幅の合計は、該左外箱（３）の該後面（３ｃ）の左右幅から所定値（η）を引いた寸法に略等しいこと、
を特徴としている。
【０１０２】
請求項２８に記載の本発明に係るアコーデオンボックスは、
請求項２乃至請求項２７の何れか一項に記載のアコーデオンボックスにおいて、
該第七ヒンジ板（１３）の横幅と該第八ヒンジ板（１４）の横幅の合計は、該左外箱（３）の該前面（３ｅ）の左右幅から所定値（η）を引いた寸法に略等しいこと、
を特徴としている。
【０１０３】
効果（請求項２７、請求項２８共通）：左外箱（３）を開けても第五ヒンジ板（１１）〜第八ヒンジ板（１４）が外部に露出せず隠すことができる。
【符号の説明】
【０１０４】
１  収納箱、１ａ  段ボールの目方向、２  右外箱、２ａ  右面、２ｂ  下面、
２ｃ  後面、２ｄ  上面、２ｅ  前面、２ｆ  左面、２ｇ〜２ｊ  折線、２ｋ  折線、
２ｍ  折線、２ｎ  貼合面、２ｐ  折線、２ｑ  係合面、２ｒ  係合穴、２ｓ  折線、
２ｔ  係合爪、３  左外箱、３ａ  右面、３ｂ  下面、３ｃ  後面、３ｄ  上面、
３ｅ  前面、３ｆ  左面、３ｇ〜３ｊ  折線、３ｋ  折線、３ｍ  折線、３ｎ  貼合面、
３ｐ  折線、３ｑ  係合面、３ｒ  係合穴、３ｓ  折線、３ｔ  係合爪、４  中箱、
４ａ  右面、４ｂ  下面、４ｃ  後面、４ｄ  上面、４ｅ  前面、４ｆ  左面、
４ｇ  後フラップ、４ｈ  前フラップ、４ｊ  折線、４ｋ  折線、４ｍ  折線、
４ｎ  折線、４ｐ  貼合面、４ｑ〜４ｒ  係合爪、４ｓ〜４ｔ  係合穴、
４ｕ〜４ｖ  係合爪、４ｗ〜４ｘ  係合穴、４ｙ  折線、４ｚ  折線、
５  第一ヒンジ板、５ａ  第一折線、６  第二ヒンジ板、６ａ  第二折線、
７  第三ヒンジ板、７ａ  第三折線、８  第四ヒンジ板、８ａ  第四折線、
９  ヒンジ折線、９ａ  ヒンジ穴、１０  ヒンジ折線、１０ａ  ヒンジ穴、
１１  第五ヒンジ板、１１ａ  第五折線、１２  第六ヒンジ板、１２ａ  第六折線、
１３  第七ヒンジ板、１３ａ  第七折線、１４  第八ヒンジ板、１４ａ  第八折線、
１５  ヒンジ折線、１５ａ  ヒンジ穴、１６  ヒンジ折線、１６ａ  ヒンジ穴
【図１】
2017095140.tif 000003
【図２】
2017095140.tif 000004
【図３】
2017095140.tif 000005
【図４】
2017095140.tif 000006
【図５】
2017095140.tif 000007